(57)【要約】【課題】画像形成装置のリソースへのアクセス権を付与するユーザの関係（包含関係）にしたがった表示を実行し、ユーザにとっての意味のない設定操作を排除し、操作性を向上させること。【解決手段】画像データや画像形成装置の利用時にユーザ認証を行うためのユーザデータ２００を記憶する記憶部１０１、所定のリソースへのアクセス権を設定するための操作を行う操作部１０２、操作部１０２で設定されたアクセス権の内容を表示部１０３ａに表示するための制御を行う表示制御部１０３、および操作部１０２で設定された前記アクセス権を記憶部１０１へ登録するアクセス権登録部１０４ａと操作部１０２で設定された前記アクセス権の制御を行うアクセス権制御部１０４ｂとからなるアクセス制御部１０４を含み構成される。【選択図】        図１
2006190168.tif 000002
【特許請求の範囲】
【請求項１】
画像形成装置に搭載され、
所定のリソースへのアクセス権を登録するアクセス権登録手段と、
登録した認証情報をもつユーザのみ前記リソースの利用を許可するアクセス制御手段と、
前記アクセス権の登録を操作する操作手段と、
前記リソースに対して、前記アクセス権登録手段で登録した複数のユーザおよびグループの表示順序を並び替える表示制御手段と、
を備えたことを特徴とするアクセス権表示装置。
【請求項２】
前記表示制御手段は、前記リソースに対するアクセス権が包含されているユーザおよびグループの表示を制御することを特徴とする請求項１に記載のアクセス権表示装置。
【請求項３】
前記リソースは、画像データであることを特徴とする請求項１または２に記載のアクセス権表示装置。
【請求項４】
前記リソースは、ユーザデータであることを特徴とする請求項１または２に記載のアクセス権表示装置。
【請求項５】
画像形成装置の利用の際に実施されるアクセス権表示方法であって、
所定のリソースへのアクセス権を登録するアクセス権登録工程と、
登録した認証情報をもつユーザのみ前記リソースの利用を許可するアクセス制御工程と、
前記アクセス権の登録を操作する操作工程と、
前記リソースに対して、前記アクセス権登録工程で登録した複数のユーザおよびグループの表示順序を並び替える表示制御工程と、
を含むことを特徴とするアクセス権表示方法。
【請求項６】
前記表示制御工程は、前記リソースに対するアクセス権が包含されているユーザおよびグループの表示を制御することを特徴とする請求項５に記載のアクセス権表示方法。
【請求項７】
前記リソースは、画像データであることを特徴とする請求項５または６に記載のアクセス権表示方法。
【請求項８】
前記リソースは、ユーザデータであることを特徴とする請求項５または６に記載のアクセス権表示方法。
【請求項９】
請求項５〜８のいずれか一つに記載のアクセス権表示方法をコンピュータに実行させることを特徴とするアクセス権表示プログラム。
【発明の詳細な説明】
【技術分野】
【０００１】
この発明は、画像形成装置のリソースへのアクセス権を付与するアクセス権表示装置、アクセス権表示方法、およびアクセス権表示プログラムに関する。
【背景技術】
【０００２】
従来より、データベースや汎用サーバ等、グループウェアのようにデータを蓄積し、特定のユーザに蓄積したデータを公開する際に、アクセスされるリソースに対してアクセス権を付与し、管理するアクセス権管理装置がいくつか提案されている（たとえば、特許文献１を参照。）。
【０００３】
【特許文献１】特開２０００−２０７２６７号公報
【発明の開示】
【発明が解決しようとする課題】
【０００４】
上記特許文献１に開示された装置をはじめとするアクセス権管理装置では、一般に、リソースに対して、アクセスするユーザおよびグループごとにアクセス権（たとえば読み取り、編集、削除権限）をユーザインタフェースで適切に設定する方法がとられていた。
【０００５】
しかしながら、従来装置では、上記のようなユーザインタフェースでの登録の際には、登録するユーザおよびグループの関係を考慮したインタフェースとなっておらず、すでにグループに対して強いアクセス権を追加しているにもかかわらず、ユーザに対して再度弱いアクセス権を追加してしまうものであった。このため、ユーザの操作の手間を増加させるとともに、ユーザごとのアクセス権を管理する記憶領域の圧迫にもつながるという問題があった。
【０００６】
この発明は、上述した従来技術による問題点を解消するため、画像形成装置の利用に際し、所定のリソースへのアクセス権を付与するユーザの関係（包含関係）にしたがった表示を実現し、ユーザにとっての意味のない設定操作を排除し、操作性を向上させることができるアクセス権表示装置、アクセス権表示方法、およびアクセス権表示プログラムを提供することを目的とする。
【課題を解決するための手段】
【０００７】
上述した課題を解決し、目的を達成するため、この発明の請求項１にかかるアクセス権表示装置は、画像形成装置に搭載され、所定のリソースへのアクセス権を登録するアクセス権登録手段と、登録した認証情報をもつユーザのみ前記リソースの利用を許可するアクセス制御手段と、前記アクセス権の登録を操作する操作手段と、前記リソースに対して、前記アクセス権登録手段で登録した複数のユーザおよびグループの表示順序を並び替える表示制御手段と、を備えたことを特徴とする。
【０００８】
この請求項１に記載の発明によれば、画像形成装置の利用に際し、複数のユーザおよびグループの表示順序をユーザとグループの包含関係にしたがって並び替えることができるので、ユーザにとっての無駄な操作を排除し、操作性を向上させることが可能になる。
【０００９】
また、請求項２にかかるアクセス権表示装置は、請求項１に記載の発明において、前記表示制御手段が、前記リソースに対するアクセス権が包含されているユーザおよびグループの表示を制御することを特徴とする。
【００１０】
この請求項２に記載の発明によれば、所定のリソースに対するアクセス権の包含関係にしたがった表示抑制を行うことで、より操作性を向上させることが可能になる。
【００１１】
また、請求項３にかかるアクセス権表示装置は、請求項１または２に記載の発明において、前記リソースが、画像データであることを特徴とする。
【００１２】
この請求項３に記載の発明によれば、画像データに対するアクセス権の包含関係にしたがった表示抑制を行うことで、より操作性を向上させることが可能になる。
【００１３】
また、請求項４にかかるアクセス権表示装置は、請求項１または２に記載の発明において、前記リソースが、ユーザデータであることを特徴とする。
【００１４】
この請求項４に記載の発明によれば、ユーザデータに対するアクセス権の包含関係にしたがった表示抑制を行うことで、より操作性を向上させることが可能になる。
【００１５】
また、請求項５にかかるアクセス権表示方法は、画像形成装置の利用の際に実施されるアクセス権表示方法であって、所定のリソースへのアクセス権を登録するアクセス権登録工程と、登録した認証情報をもつユーザのみ前記リソースの利用を許可するアクセス制御工程と、前記アクセス権の登録を操作する操作工程と、前記リソースに対して、前記アクセス権登録工程で登録した複数のユーザおよびグループの表示順序を並び替える表示制御工程と、を含むことを特徴とする。
【００１６】
この請求項５に記載の発明によれば、画像形成装置の利用に際し、複数のユーザおよびグループの表示順序をユーザとグループの包含関係にしたがって並び替えることができるので、ユーザにとっての無駄な操作を排除し、操作性を向上させることが可能になる。
【００１７】
また、請求項６にかかるアクセス権表示方法は、請求項５に記載の発明において、前記表示制御工程が、前記リソースに対するアクセス権が包含されているユーザおよびグループの表示を制御することを特徴とする。
【００１８】
この請求項６に記載の発明によれば、所定のリソースに対するアクセス権の包含関係にしたがった表示抑制を行うことで、より操作性を向上させることが可能になる。
【００１９】
また、請求項７にかかるアクセス権表示方法は、請求項５または６に記載の発明において、前記リソースが、画像データであることを特徴とする。
【００２０】
この請求項７に記載の発明によれば、画像データに対するアクセス権の包含関係にしたがった表示抑制を行うことで、より操作性を向上させることが可能になる。
【００２１】
また、請求項８にかかるアクセス権表示方法は、請求項５または６に記載の発明において、前記リソースが、ユーザデータであることを特徴とする。
【００２２】
この請求項８に記載の発明によれば、ユーザデータに対するアクセス権の包含関係にしたがった表示抑制を行うことで、より操作性を向上させることが可能になる。
【００２３】
また、請求項９にかかるアクセス権表示プログラムは、請求項５〜８のいずれか一つに記載のアクセス権表示方法をコンピュータに実行させることを特徴とする。
【００２４】
この請求項９に記載の発明によれば、請求項５〜８のいずれか一つに記載のアクセス権表示方法をコンピュータに実行させることができる。
【発明の効果】
【００２５】
以上説明したように、請求項１に記載の発明によれば、画像形成装置に搭載され、所定のリソースへのアクセス権を登録するアクセス権登録手段と、登録した認証情報をもつユーザのみ前記リソースの利用を許可するアクセス制御手段と、前記アクセス権の登録を操作する操作手段と、前記リソースに対して、前記アクセス権登録手段で登録した複数のユーザおよびグループの表示順序を並び替える表示制御手段と、を備えたので、画像形成装置の利用に際し、複数のユーザおよびグループの表示順序をユーザとグループの包含関係にしたがって並び替えることができるので、ユーザにとっての無駄な操作を排除し、操作性を向上させることが可能になるという効果を奏する。
【００２６】
また、請求項２に記載の発明によれば、請求項１に記載の発明において、前記表示制御手段が、前記リソースに対するアクセス権が包含されているユーザおよびグループの表示を制御するので、所定のリソースに対するアクセス権の包含関係にしたがった表示抑制を行うことで、より操作性を向上させることが可能になるという効果を奏する。
【００２７】
また、請求項３に記載の発明によれば、請求項１または２に記載の発明において、前記リソースが、画像データであるので、画像データに対するアクセス権の包含関係にしたがった表示抑制を行うことで、より操作性を向上させることが可能になるという効果を奏する。
【００２８】
また、請求項４に記載の発明によれば、請求項１または２に記載の発明において、前記リソースが、ユーザデータであるので、ユーザデータに対するアクセス権の包含関係にしたがった表示抑制を行うことで、より操作性を向上させることが可能になるという効果を奏する。
【００２９】
また、請求項５に記載の発明によれば、画像形成装置の利用の際に実施されるアクセス権表示方法であって、所定のリソースへのアクセス権を登録するアクセス権登録工程と、登録した認証情報をもつユーザのみ前記リソースの利用を許可するアクセス制御工程と、前記アクセス権の登録を操作する操作工程と、前記リソースに対して、前記アクセス権登録工程で登録した複数のユーザおよびグループの表示順序を並び替える表示制御工程と、を含むので、画像形成装置の利用に際し、複数のユーザおよびグループの表示順序をユーザとグループの包含関係にしたがって並び替えることができるので、ユーザにとっての無駄な操作を排除し、操作性を向上させることが可能になるという効果を奏する。
【００３０】
また、請求項６に記載の発明によれば、請求項５に記載の発明において、前記表示制御工程が、前記リソースに対するアクセス権が包含されているユーザおよびグループの表示を制御するので、所定のリソースに対するアクセス権の包含関係にしたがった表示抑制を行うことで、より操作性を向上させることが可能になるという効果を奏する。
【００３１】
また、請求項７に記載の発明によれば、請求項５または６に記載の発明において、前記リソースが、画像データであるので、画像データに対するアクセス権の包含関係にしたがった表示抑制を行うことで、より操作性を向上させることが可能になるという効果を奏する。
【００３２】
また、請求項８に記載の発明によれば、請求項５または６に記載の発明において、前記リソースが、ユーザデータであるので、ユーザデータに対するアクセス権の包含関係にしたがった表示抑制を行うことで、より操作性を向上させることが可能になるという効果を奏する。
【００３３】
また、請求項９に記載の発明によれば、請求項５〜８のいずれか一つに記載のアクセス権表示方法をコンピュータに実行させることによって、請求項５〜８のいずれか一つに記載のアクセス権表示方法をコンピュータで実現することが可能なプログラムが得られるという効果を奏する。
【発明を実施するための最良の形態】
【００３４】
以下、添付図面を参照して、この発明にかかるアクセス権表示装置、アクセス権表示方法、およびアクセス権表示プログラムの好適な実施の形態を詳細に説明する。
【００３５】
（アクセス権表示装置の構成）
図１は、この発明の実施の形態にかかるアクセス権表示装置の構成を示し、画像形成装置の一つであるデジタル複合機に搭載された場合の一例を示す図である。
【００３６】
この発明の実施の形態にかかるアクセス権表示装置は、記憶部１０１、操作部１０２、表示制御部１０３、およびアクセス制御部１０４を含み構成される。
【００３７】
記憶部１０１は、画像形成処理を行うデジタル複合機の画像形成部１００で形成された画像データや、前記デジタル複合機の利用時にユーザ認証を行うためのユーザデータを記憶する。操作部１０２は、前記デジタル複合機の所定のリソースへのアクセス権を設定するための操作を行う。表示制御部１０３は、表示部１０３ａを含み、操作部１０２で設定されたアクセス権の内容を表示部１０３ａに表示するための制御を行う。アクセス制御部１０４は、アクセス権登録部１０４ａとアクセス権制御部１０４ｂからなる。アクセス権登録部１０４ａは、操作部１０２で設定された前記アクセス権を記憶部１０１へ登録する。また、アクセス権制御部１０４ｂは、操作部１０２で設定された前記アクセス権の制御を行う。
【００３８】
図２は、記憶部１０１に記憶されるユーザデータの概念の一例を示す図である。ユーザデータ２００は、大きく分けて個人情報を示す個人ユーザ情報２０１と、個人ユーザ情報２０１の集合であるグループ情報２０２とからなる。すなわち、個人ユーザ情報２０１は、識別子とユーザ名とパスワードの組からなり、グループ情報２０２はそれらの個人ユーザ情報２０１の集合から構成される。これらユーザデータ２００は、表示部１０３ａに表示されるユーザ（もしくはグループ）登録画面において、操作部１０２の操作でアクセス権が付与される。その後、アクセス権登録部１０４ａの処理により登録される。登録されたユーザデータ２００は、記憶部１０１に永続的に保存され必要に応じて使用される。
【００３９】
（アクセス権表示方法の処理）
次に、この発明の実施の形態にかかるアクセス権表示方法の処理について説明する。図３および図４は、アクセス権表示処理の手順を示すフローチャートである。
【００４０】
まず、図３に示すフローチャートにおいて、まず、ユーザが、アクセス権を登録しようとするのは登録対象のユーザか否かを決定する（ステップＳ３０１）。登録対象のユーザの場合（ステップＳ３０１：Ｙｅｓ）は、ステップＳ３０２へ移行する。一方、登録対象のユーザでない場合（ステップＳ３０１：Ｎｏ）は、図４のフローチャートのステップＳ４０１へ移行する。
【００４１】
ステップＳ３０１において登録対象のユーザの場合（ステップＳ３０１：Ｙｅｓ）は、アクセス権制御部１０４ｂが、登録済みのアクセス権リスト（図２のユーザデータ２００）の中から登録するユーザが所属するグループを取得する（ステップＳ３０２）。そして、表示制御部１０３が、ステップＳ３０２において取得したグループの中から権限の一番強いアクセス権を取得し、ユーザが登録できる権限のデフォルトとし、それ以上の権限のみ設定可能に表示制御する（ステップＳ３０３）。以上、ステップＳ３０１〜ステップＳ３０３は、ユーザの権限設定の抑制制御処理（その１）の手順を示すものである。
【００４２】
一方、ステップＳ３０１において登録対象のユーザでない場合（ステップＳ３０１：Ｎｏ）は、アクセス権制御部１０４ｂが、登録済みのアクセス権リスト（図２のユーザデータ２００）の中から登録するグループが所属するグループを取得する（ステップＳ４０１）。そして、表示制御部１０３が、ステップＳ４０１において取得したグループの中から権限の一番強いアクセス権を取得し、グループが登録できる権限のデフォルトとし、それ以上の権限のみ設定可能に表示制御する（ステップＳ４０２）。以上、ステップＳ４０１〜ステップＳ４０２は、グループの権限設定の抑制制御処理の手順を示すものである。
【００４３】
続いて、アクセス権制御部１０４ｂが、登録済みのアクセス権リスト（図２のユーザデータ２００）の中から登録するグループに所属するユーザの一覧を取得する（ステップＳ４０３）。そして表示制御部１０３が、登録するグループの表示位置をステップＳ４０３で取得したユーザより上に表示制御する（ステップＳ４０４）。以上、ステップＳ４０３〜ステップＳ４０４は、グループとユーザの表示順序制御処理の手順を示すものである。
【００４４】
さらに、アクセス権制御部１０４ｂは、ステップＳ４０３で取得したユーザの一覧において、各ユーザのアクセス権が登録するグループのアクセス権に優先するか否かを判定する（ステップＳ４０５）。ここで、各ユーザのアクセス権が登録するグループのアクセス権に優先する場合（ステップＳ４０５：Ｙｅｓ）は、表示制御部１０３は登録済みのユーザの権限の表示制御をしない（ステップＳ４０６）。一方、各ユーザのアクセス権が登録するグループのアクセス権に優先しない場合（ステップＳ４０５：Ｎｏ）は、表示制御部１０３は登録済みのユーザの権限の表示を抑制する（ステップＳ４０７）。以上、ステップＳ４０５〜ステップＳ４０７は、ユーザの権限設定の抑制制御処理（その２）の手順を示すものである。
【００４５】
上記に示した手順に従えば、ユーザとグループの包含関係にしたがった表示位置制御と、ユーザのアクセス権限とグループのアクセス権限の包含関係にしたがった表示抑制制御を実行することができる。
【００４６】
以上説明したように、この発明にかかるアクセス権表示装置、アクセス権表示方法によれば、画像形成装置の利用に際し、複数のユーザおよびグループの表示順序をユーザとグループの包含関係にしたがって並び替えることができるので、ユーザにとっての無駄な操作を排除し、操作性を向上させることが可能になる。また、所定のリソース（画像データやユーザデータなど）に対するアクセス権の包含関係にしたがった表示抑制を行うことで、より操作性を向上させることが可能になる。
【００４７】
なお、この実施の形態で説明したアクセス権表示方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００４８】
以上のように、この発明にかかるアクセス権表示装置、アクセス権表示方法、およびアクセス権表示プログラムは、画像形成装置のリソースへのアクセス権を付与するユーザの関係（包含関係）にしたがった表示を実行する場合に有用であり、特に、ユーザにとっての意味のない設定操作を排除し、操作性を向上させるのに適している。
【図面の簡単な説明】
【００４９】
【図１】この発明の実施の形態にかかるアクセス権表示装置の構成を示し、画像形成装置の一つであるデジタル複合機に搭載された場合の一例を示す図である。
【図２】ユーザデータの概念の一例を示す図である。
【図３】アクセス権表示処理の手順を示すフローチャートである。
【図４】アクセス権表示処理の手順を示すフローチャートである。
【符号の説明】
【００５０】
１００  画像形成部
１０１  記憶部
１０２  操作部
１０３  表示制御部
１０３ａ  表示部
１０４  アクセス制御部
１０４ａ  アクセス権登録部
１０４ｂ  アクセス権制御部
【図１】
2006190168.tif 000003
【図２】
2006190168.tif 000004
【図３】
2006190168.tif 000005
【図４】
2006190168.tif 000006